(57)【要約】【課題】通常使用する手持ちの竹刀に着脱でき、取り付けたときには正しい素振りのときに大きな音が出、刃筋が振り下ろす方向に対して斜めになっているときには音が出ないか、音が小さいことにより、正しい方向で素振りしているかどうか、自分で確認しながら練習をすることができる竹刀素振り練習補助具を提供する。【解決手段】竹刀の先端部を覆うことのできる筒部２と、筒部２の基部周囲を締め付けるための紐３と、筒部２の先端に固定され、竹刀の素振りによって生じる気流により音を発する笛であるホイッスル４とよりなる。筒部２の先端部には、ホイッスル４の吹き口４ａを挿入するための、筒部２の中心線とは直交する方向の中心線を有する笛保持部２ａが設けられている。筒部２の基部２ｂの周囲は折り返して縫い付けられ、皮革素材が補強されている。この基部２ｂに、紐通し穴２ｃが設けられて、紐３が通されている。【選択図】図１
0003168421.tif 000002
【実用新案登録請求の範囲】
【請求項１】
竹刀の先端部を覆うことのできる可撓性素材からなる筒部と、この筒部の基部周囲を締め付けるための紐と、前記筒部の先端に固定され、竹刀の素振りによって生じる気流により音を発する笛とからなる竹刀素振り練習補助具。
【請求項２】
前記筒部を構成する可撓性素材は皮革である請求項１記載の竹刀素振り練習補助具。
【請求項３】
前記紐の素材は皮革である請求項１または２に記載の竹刀素振り練習補助具。
【請求項４】
笛はホイッスルであり、このホイッスルの吹き口が前記竹刀の刃筋方向に向けて前記筒部に固定されている請求項１から３のいずれかの項に記載の竹刀素振り練習補助具。
【考案の詳細な説明】
【技術分野】
【０００１】
本考案は、剣道の稽古に用いられる竹刀の素振り練習が正しい型であるかどうかが音により分かるようにした竹刀素振り練習補助具に関する。
【背景技術】
【０００２】
剣道の稽古や試合では、日本刀や木刀の代用として竹刀が用いられる。竹刀は、縦に８つに割った竹材を４つ組み合わせて根本の部分に皮の筒を被せて柄とし、先端に先革、中間に中結を設けて結束し、剣先から柄まで一本の弦を張って峰とし、反対側を刃に見立てる。
【０００３】
練習の際には、弦の反対側が下になるように両手で持ち、真っ直ぐ振り下げたり（正面素振り）、左右斜めに振り下げたり（斜め素振り）するとき、その振り下げる向きの方向に弦の反対側（刃筋）が正しく向くようにすることが正しい姿勢、動きである。すなわち、真剣の場合に、振った方向と同じ向きに刃先が向いていないと、対象をうまく斬れないためである。
【０００４】
このような正しい型や刃筋の向きでの素振り練習を、上段者が観察しながら指導するのであるが、一人で練習する際には、正しい型かどうかが確認できず、悪い癖が付いてしまうおそれがある。
【０００５】
特許文献１には、木刀を用いて素振り練習する場合に、正しい型で素振りをすると高い音が出る木刀が提案されている。これは、木刀切先付近に数個の穴をあけ、空洞部を設けたものであり、素振り稽古で振り下ろしたときに、正しい刃筋の時に大きい音が出、刃筋が振り下ろす方向に対して斜めになっているときには音が出ないか、音が小さいというものである。
【先行技術文献】
【特許文献】
【０００６】
【特許文献１】実用新案登録第３１１９２９７号公報
【考案の概要】
【考案が解決しようとする課題】
【０００７】
前掲の特許文献１において提案された木刀は、木刀自体に穴を開けるために、素振り練習専用の木刀である。
一般的には、剣道の練習や試合には竹刀が用いられるので、竹刀の竹に穴を設けても音は出ないし、たとえ音が出たとしても、練習専用のものとなり、試合には使用できない。
【０００８】
ほかには、ゴルフクラブや野球のバットの素振り練習のために、音が出るように工夫したものも多数あるが、いずれも、ゴルフクラブやバット自体に穴を開けており、練習専用のものである。通常使用するゴルフクラブやバットには適用できない。
【０００９】
そこで本考案は、通常使用する手持ちの竹刀に着脱でき、取り付けたときには正しい素振りのときに大きな音が出、刃筋が振り下ろす方向に対して斜めになっているときには音が出ないか、音が小さいことにより、正しい方向で素振りしているかどうか、自分で確認しながら練習をすることができる竹刀素振り練習補助具を提供することを目的とする。
【課題を解決するための手段】
【００１０】
前記課題を解決するため、本考案の竹刀素振り練習補助具は、竹刀の先端部を覆うことのできる可撓性素材からなる筒部と、この筒部の基部周囲を締め付けるための紐と、前記筒部の先端に固定され、竹刀の素振りによって生じる気流により音を発する笛とからなるものである。
【００１１】
本考案においては、使用する竹刀の先端部に竹刀素振り練習補助具の筒部を装着し、筒部の基部周囲を紐で締め付けて、竹刀の先端部にしっかりと固定する。筒部の先端には笛が固定されている。この竹刀素振り練習補助具が取り付けられた竹刀を正しく振ると、笛がなる。笛は、気流により音を発する楽器ないし道具であり、気流の速度が高い程、音の大きさが大きくなる。竹刀を握っている手首の振り方が正しいと、振り下ろしたときの竹刀の先端の速度が速くなるので、笛の音が大きくなる。初心者は、有段者、指導者が振ったときの音の大きさに近づくように目標を持って素振り練習することができる。上達したときや、試合のときには、紐を解いて筒部を竹刀先端部から取り外すことにより、通常の竹刀として使用することができる。
【００１２】
前記筒部の素材である可撓性素材、紐の素材は、竹刀の先皮や中結の素材と同じ皮革（牛皮、合成皮革等）とすることができ、先皮との相性がいい。
【００１３】
笛としては、ホイッスルを用いることができ、このホイッスルの吹き口が前記竹刀の刃筋方向に向くように前記筒部に固定することにより、既製のホイッスルを用いることができるとともに、刃筋が振り下ろす方向に対して斜めになっているときには音が出ないか、音が小さいことにより、正しい方向で素振りしているかどうかが分かる。
【考案の効果】
【００１４】
本考案の竹刀素振り練習補助具は、竹刀の先端部を覆うことのできる可撓性素材からなる筒部と、この筒部の基部周囲を締め付けるための紐と、前記筒部の先端に固定され、竹刀の素振りによって生じる気流により音を発する笛とからなるものであるので、通常使用する手持ちの竹刀に着脱でき、取り付けたときには正しい素振りのときに大きな音が出、刃筋が振り下ろす方向に対して斜めになっているときには音が出ないか、音が小さいことにより、正しい方向で素振りしているかどうか、自分で確認しながら練習をすることができる。
【図面の簡単な説明】
【００１５】
【図１】本考案の実施の形態に係る竹刀素振り練習補助具の斜視図である。
【図２】本考案の実施の形態に係る竹刀素振り練習補助具の皮革を示すものであり、（ａ）は展開図、（ｂ）は組立途中の平面図、（ｃ）は組立途中の斜視図、（ｄ）は組み立てた状態の断面図である。
【図３】本考案の実施の形態に係る竹刀素振り練習補助具を竹刀に取り付けた状態を示す斜視図である。
【図４】本考案の実施の形態に係る竹刀素振り練習補助具を竹刀に取り付けた状態の拡大斜視図である。
【考案を実施するための形態】
【００１６】
以下、本考案の実施の形態を、図面を用いて具体的に説明する。
図１に示すように、本考案の実施の形態に係る竹刀素振り練習補助具１は、竹刀の先端部を覆うことのできる可撓性素材、本例では牛皮等の動物の皮革あるいは合成皮革からなる筒部２と、この筒部２の基部周囲を締め付けるための皮革あるいは合成皮革からなる紐３と、筒部２の先端に固定され、竹刀の素振りによって生じる気流により音を発する笛であるホイッスル４とよりなる。筒部２の先端部には、ホイッスル４の吹き口４ａを挿入するための、筒部２の中心線とは直交する方向の中心線を有する笛保持部２ａが設けられている。筒部２の基部２ｂの周囲は折り返して縫い付けられ、皮革素材が補強されている。この基部２ｂに、紐通し穴２ｃが設けられて、紐３が通されている。なお、図１の例では、ホイッスル４の歌口（開口）が前方になる向きで笛保持部２ａに装着しているが、歌口が後方になる逆向きで装着してもよい。
【００１７】
筒部２は、図２（ａ）の展開図に示す筒部形成用皮革５を立体的に組み立てることにより、形成することができる。同図に示すように、筒部形成用皮革５は、基端部を２回折り返し接着して基部２ｂを形成し、紐通し穴２ｃと縫い紐通し穴２ｅを開ける。先端部には４つの切り込みを設けて、中央部片５ａ、側部片５ｂ，５ｃ、上部片５ｄ，５ｅを形成する。
【００１８】
次に、図２（ｂ）に示すように、筒部形成用皮革５の左右側部が着くように筒状に丸め、上部片５ｄと５ｅの端部を合わせて糸で縫い合わせて縫合部５ｆを形成する。これを立体的に見たのが図２（ｃ）である。この状態から、中央部片５ａを上方に起立させ、次いで中央部片５ａの前方を覆うように縫合部５ｆを下方に折り曲げる。次いで、側部片５ｂと５ｃの前方を重ね合わせて縫合すると図２（ｄ）の断面図と図１の斜視図に示す筒部２が出来上がる。
【００１９】
したがって、縫合部５ｆと、重ね合わさった側部片５ｂ，５ｃの前方と、側部片５ｂ，５ｃとで囲まれた空間が笛保持部２ａとなる。
【００２０】
なお、この筒部２の構成例は一例を示すものであり、合成皮革等により型で成形することもできるし、他の方法で形成することもできる。
【００２１】
図３は、上に述べた竹刀素振り練習補助具１を竹刀１０の先端に取り付けた状態を示すもので、図４はその拡大図である。図において、竹刀１０の先端には先革１１、中間に中結１２、基端に皮革の筒で覆われた柄１３を有し、鍔１４が設けられている。また、剣先から柄１３まで一本の弦１５が張られている。本考案の竹刀素振り練習補助具１は、先革１１を筒部２が覆うように被せられ、紐３をしっかりと縛ることにより取り付けられる。
【００２２】
この際、竹刀素振り練習補助具１を抜けにくくするために、紐３を弦１５に通して締め付けることが好ましい。また、ホイッスル４の吹き口４ａの向きが弦１５を張った竹刀の反対側を向く方向、すなわち刃筋方向を向くように取り付ける。
【００２３】
このようにして本考案の竹刀素振り練習補助具１を取り付けた竹刀１０を持って素振り動作をする。正面素振りでは、刃筋が縦方向に真っ直ぐになるように、また手首の返しが正しいように振り下ろすことで、ホイッスル４が空気の気流を受けて音を発する。竹刀１０の剣先が速いほど、音の大きさが大きくなる。また、刃筋が真っ直ぐでないと、音が小さくなる。指導者による正しい素振りで鳴るときの大きさを覚えておくことにより、それを目指す練習を行う。
【００２４】
斜め素振りでは、これも、刃筋が斜め方向を向くように振り下ろすことにより、ホイッスル４から出る音が最大になり、刃筋が正しい方向を向いていないと、音が小さくなるか、出なくなる。
【００２５】
素振り練習が終了したり、試合をしたりするときには、紐３を解いて竹刀素振り練習補助具１を竹刀１０の先端から外せばそのまま竹刀１０を使用することができる。
【００２６】
上述した実施の形態では、笛としてホイッスル４を用いた例を示したが、空気の流れにより音を発する笛であれば他の種類のものでも使用できる。
【産業上の利用可能性】
【００２７】
本考案は、通常使用する手持ちの竹刀に着脱でき、取り付けたときには正しい素振りのときに大きな音が出、刃筋が振り下ろす方向に対して斜めになっているときには音が出ないか、音が小さいことにより、正しい方向で素振りしているかどうか、自分で確認しながら練習をすることができる竹刀素振り練習補助具として、スポーツ用品の分野において好適に利用することができる。
【符号の説明】
【００２８】
１  竹刀素振り練習補助具
２  筒部
２ａ  笛保持部
２ｂ  基部
２ｃ  紐通し穴
２ｄ  縫い紐
２ｅ  縫い紐通し穴
３  紐
４  ホイッスル（笛）
４ａ  吹き口
５  筒部形成用皮革
５ａ  中央部片
５ｂ，５ｃ  側部片
５ｄ，５ｅ  上部片
５ｆ  縫合部
１０  竹刀
１１  先革
１２  中結
１３  柄
１４  鍔
１５  弦
【図１】
0003168421.tif 000003
【図２】
0003168421.tif 000004
【図３】
0003168421.tif 000005
【図４】
0003168421.tif 000006